(57)【要約】【課題】保持しようとするフィルタに対して金属コンタミネーションの付着するのを防ぐことができ、しかもフィルタを収納する作業とフィルタを取り外す作業を容易に行うことができる捕集体保持具を提供する。【解決手段】捕集体保持具１は、フォルダ本体部２と、フォルダ本体部２に配置されて、複数のフィルタＦを挿抜可能に収容可能な複数のフィルタ収納部１１，１２を有し、フォルダ本体部２とフィルタ収納部１１，１２は、プラスチック製であり、フィルタ収納部１１，１２は、斜め下方向（Ｇ２方向）に傾斜して設けられている。【選択図】図２
2015161571.tif 000002
【特許請求の範囲】
【請求項１】
大気中の微小粒子状物質を測定するために用いられるフィルタを収納して保持する捕集体保持具であって、
フォルダ本体部と、
前記フォルダ本体部に配置されて、複数の前記フィルタを挿抜可能に収容可能な複数のフィルタ収納部と、を有し、
前記フォルダ本体部と前記フィルタ収納部は、プラスチック製であり、
前記フィルタ収納部は、斜め下方向に傾斜して設けられていることを特徴とする捕集体保持具。
【請求項２】
各前記フィルタ収納部は、前記フィルタを収容する複数の間仕切り部を有しており、前記複数の間仕切り部材は、前記フィルタ収納部は取り外しが取り外し可能であることを特徴とする請求項１に記載の捕集体保持具。
【請求項３】
各前記フィルタ収納部の前記間仕切り部材は、縦方向に配置されており、隣接する前記間仕切り部材は、前記フィルタを収納する収納空間を形成していることを特徴とする請求項２に記載の捕集体保持具。
【請求項４】
各前記フィルタ収納部は、互いに異なる色になっていることを特徴とする請求項１乃至３のいずれかに記載の捕集体保持具。
【請求項５】
前記フォルダ本体部と前記フィルタ収納部は、アクリル材であることを特徴とする請求項１乃至４のいずれかに記載の捕集体保持具。
【発明の詳細な説明】
【技術分野】
【０００１】
本発明は、大気中に浮遊する微小粒子状物質ＰＭ（パーティクルマター）、例えばＰＭ２．５を測定するために用いられる捕集体（フィルタ）を収納して保持する捕集体保持具に関する。
【背景技術】
【０００２】
我が国では、人の健康を保護する観点から、大気汚染に関する環境基準が定められている。粒子状物質については、空気動力学径が１０μｍよりも大きい粒子状物質を、１００％カットしたものを浮遊粒子状物質（ＳＰＭ）と定義して、環境基準に沿って常時監視を行っている。
【０００３】
粒子状物質の中でも、粒径の小さい微小粒子状物質（いわゆるＰＭ２．５）による健康への影響が懸念されていて、世界保健機構（ＷＨＯ）では、ＰＭ２．５に係る大気質ガイドラインが設定され、ＰＭ２．５に係る環境基準の設定やモニタリング体制の整備、対策の検討等が行われている。
【０００４】
ＰＭ２．５の測定法としては、米国ではろ過捕集―重量測定法（以下、フィルタ法という）が標準測定法として採用されている。我が国では、平成１２年度（２０００年度）に「大気中微小粒子状物質（ＰＭ２．５）測定方法暫定マニュアルを作成し、その後採取装置や自動測定機、測定分析手法等の技術の進展を踏まえ、平成１９年度（２００７年度）にこのマニュアルを改訂している。そして、平成２３年には、環境省が新たにＰＭ２．５の成分分析ガイドラインを策定している。
【０００５】
粒子状物質を分析するために用いられるフィルタを保持する治具が、特許文献１に記載されている。特許文献１に記載のフィルタ保持用治具は、大気中に浮遊する粒子状物質、特に車両のエンジン等の内燃機関から排出される排ガス中に含まれる粒子状物質の分析する際に用いられるフィルタを加熱するための治具である。
【先行技術文献】
【特許文献】
【０００６】
【特許文献１】特許第３９５７６４３号公報
【発明の概要】
【発明が解決しようとする課題】
【０００７】
ところで、特許文献１に記載のフィルタ保持用治具は、加熱炉内に手動によって投入するので、金属製である。このため、このフィルタ保持用治具を例えばＰＭ２．５の測定用のフィルタを取り付ける治具として用いると、この治具に保持するフィルタには、金属製の治具からの金属コンタミネーションの付着が避けられない。しかも、フィルタを折り畳んでフィルタ保持部に取り付けるようになっているので、フィルタの取り付け作業と取り外し作業が容易にできないという問題があった。
【０００８】
本発明は、上記に鑑みてなされたもので、その目的とするところは、保持しようとするフィルタに対して金属コンタミネーションの付着するのを防ぐことができ、しかもフィルタを収納する作業とフィルタを取り外す作業を容易に行うことができる捕集体保持具を提供することにある。
【課題を解決するための手段】
【０００９】
上記課題を達成するため、請求項１に記載の捕集体保持具は、大気中の微小粒子状物質を測定するために用いられるフィルタを収納して保持する捕集体保持具であって、フォルダ本体部と、前記フォルダ本体部に配置されて、複数の前記フィルタを挿抜可能に収容可能な複数のフィルタ収納部と、を有し、前記フォルダ本体部と前記フィルタ収納部は、プラスチック製であり、前記フィルタ収納部は、斜め下方向に傾斜して設けられていることを特徴とする。
【００１０】
請求項１に記載の捕集体保持具では、フォルダ本体部とフィルタ収納部は、プラスチック製であるので、保持しようとするフィルタに対して金属コンタミネーションの付着するのを、防ぐことができる。しかも、フィルタ収納部は、斜め下方向に傾斜して設けられているので、フィルタを収納する作業とフィルタを取り外す作業を容易に行うことができる。
【００１１】
請求項２に記載の捕集体保持具では、各前記フィルタ収納部は、前記フィルタを収容する複数の間仕切り部を有しており、前記フィルタ収納部は取り外しが可能である。
【００１２】
請求項２に記載の捕集体保持具では、間仕切り部材は取り外しできるので、フィルタ収納部のクリーニングが容易に行える。
【００１３】
請求項３に記載の捕集体保持具では、各前記フィルタ収納部の前記間仕切り部材は、縦方向に配置されており、隣接する前記間仕切り部材は、前記フィルタを収納する収納空間を形成していることを特徴とする。
【００１４】
請求項３に記載の捕集体保持具では、フィルタは収納空間において縦方向に配置されるので、縦方向に配置されたフィルタを、フィルタ収納部から取り出して水平状態にしてフィルタを秤量し、秤量後にフィルタを水平状態から縦方向に戻すだけで、フィルタ収納部に戻すことができるので、フィルタの表面と裏面が反対になって収納されてしまうのを防ぐことができる。
【００１５】
請求項４に記載の捕集体保持具では、各前記フィルタ収納部は、互いに異なる色になっている。
【００１６】
請求項４に記載の捕集体保持具では、各フィルタ収納部は、互いに異なる色を呈していることにより、作業者は、フィルタを取り出すフィルタ収納部と、フィルタを収納すべきフィルタ収納部とは、色の違いを見て、確実に識別することができるので、フィルタを誤ったフィルタ収納部に収納してしまうのを防げる。
【００１７】
請求項５に記載の捕集体保持具では、前記フォルダ本体部と前記フィルタ収納部は、アクリル材であることを特徴とする。
【００１８】
請求項５に記載の捕集体保持具では、アクリル材を用いることにより、保持しようとするフィルタに対して金属コンタミネーションの付着するのを防ぐことができる。
【発明の効果】
【００１９】
本発明によれば、保持しようとするフィルタに対して金属コンタミネーションの付着するのを防ぐことができ、しかもフィルタを収納する作業とフィルタを取り外す作業を容易に行うことができる捕集体保持具を提供できる。
【図面の簡単な説明】
【００２０】
【図１】本発明の捕集体保持具の第１実施形態を示す正面図である。
【図２】図１に示す捕集体保持具を示す側面図である。
【図３】捕集体保持具を備える恒温恒湿チャンバの構成例等を示しているブロック図である。
【図４】上述した構造の捕集体保持具を用いてＰＭ２．５の質量濃度を測定するための恒温恒湿チャンバのより具体的な例を示す斜視図である。
【図５】図４に示す恒温恒湿チャンバをより詳しく示す図である。
【図６】本発明の第２実施形態を示す図である。
【発明を実施するための形態】
【００２１】
以下、図面を用いて、本発明を実施するための形態(以下、実施形態と称する)を説明する。
【００２２】
図１は、本発明の捕集体保持具の第１実施形態を示す正面図であり、図２は、図１に示す捕集体保持具を示す側面図である。
【００２３】
図１と図２に示す捕集体保持具１は、ＰＭ２．５を測定するために用いられる恒温恒湿チャンバ内に配置される。この恒温恒湿チャンバは後で説明する。捕集体保持具１は、複数枚の捕集体であるフィルタＦを着脱可能に保持するフィルタフォルダである。この捕集体保持具１に保持される捕集体は、円形状のフィルタＦである。
【００２４】
まず、図１と図２を参照して、上述した捕集体保持具１の好ましい構造例を説明する。
【００２５】
図１と図２に示す捕集体保持具１は、フォルダ本体２と、例えば第１フィルタ収納部１１と第２フィルタ収納部１２を有している。フォルダ本体２は、第１フィルタ収納部１１と第２フィルタ収納部１２を保持している。第１フィルタ収納部１１と第２フィルタ収納部１２は、複数枚のフィルタＦ、例えばそれぞれ４２枚のフィルタＦを、縦方向（Ｚ方向）に沿って立てて着脱可能に、１枚ずつ分けて仕切った状態で収納することができる。
【００２６】
フォルダ本体２と、第１フィルタ収納部１１と第２フィルタ収納部１２は、ともに金属材料では作られておらず、プラスチック材料により作られている。この理由としては、フィルタ収納部１１と第２フィルタ収納部１２内に収納される複数枚のフィルタＦに対して、フォルダ本体２と第１フィルタ収納部１１と第２フィルタ収納部１２から金属コンタミネーションが付着しないようにするためである。
【００２７】
プラスチック材料としては、例えば好ましくはアクリル樹脂を採用でき、フォルダ本体２と第１フィルタ収納部１１と第２フィルタ収納部１２は、アクリル板により作られている。しかし、プラスチック材料としては、アクリル樹脂以外の他の種類のものであっても良い。
【００２８】
図１と図２を参照して、フォルダ本体２の好ましい構造例を説明する。
【００２９】
図１と図２に示すように、フォルダ本体２は、天板２１と、底板２２と、左右の側板２３，２４と、背板２５から構成されている。天板２１と、底板２２と、側板２３，２４と、背板２５は、前面側が傾斜した箱体を形成しているが、図１に示すように、フォルダ本体２の前面開口部２０は、正方形あるいは長方形となっている。
【００３０】
図２に示すように、天板２１の奥行寸法Ｌ１は、底板２２の奥行寸法Ｌ２よりも小さい。しかも、左右の側板２３，２４の上端部側の奥行寸法はＬ１であり、側板２３，２４の下端部側の奥行寸法はＬ２である。このため、図２に示すように、側板２３，２４の前側端面部２３Ａ，２４Ａは、底板２２に対して、傾斜角度θ、例えば８０度で傾いている。ただし、この傾斜角度θは、８０度に限定されず、例えば４５度から８５度の間で設定することができる。
【００３１】
これにより、作業者が、第１フィルタ収納部１１と第２フィルタ収納部１２からフィルタＦを出し入れし易いような傾斜角度で、フォルダ本体２は、第１フィルタ収納部１１と第２フィルタ収納部１２を保持することができる。
【００３２】
次に、図１と図２を参照して、第１フィルタ収納部１１と第２フィルタ収納部１２の好ましい構造例を説明する。
【００３３】
図１と図２に示す第１フィルタ収納部１１と第２フィルタ収納部１２は、フォルダ本体部２の前面開口部２０からフォルダ本体部２内にはめ込まれており、フォルダ本体部２に対して着脱可能に配置されている。
【００３４】
さらに詳細に説明すると、図１と図２に示すように、第１フィルタ収納部１１と第２フィルタ収納部１２は、第１支持板部３１と、第２支持板部３２と、第３支持板部３３と、背板部３４を有している。第１支持板部３１と第２支持板部３２と第３支持板部３３は、側板２３の内面２３Ｂと側板２４の内面２４Ｂに対して、着脱可能に保持されている。第１支持板部３１と第２支持板部３２と第３支持板部３３と背板３４の厚みは例えば１０ｍｍであるが、特に限定されない。
【００３５】
図１と図２に示すように、第１支持板部３１は、上段の板部材であり、第２支持板部３２は、中段の板部材であり、第３支持板部３３は、下段の板部材である。第１支持板部３１と第２支持板部３２と第３支持板部３３は、水平方向ＶＴに沿って平行に配置されている。
【００３６】
図１に示すように、第１フィルタ収納部１１では、第１支持板部３１と第２支持板部３２の間には、複数枚の棚板４１が所定の間隔をおいて、垂直方向Ｚに平行になるように、着脱可能に配列されている。このため、第１フィルタ収納部１１は、第１支持板部３１と第２支持板部３２と複数枚の棚板４１から構成されている。
【００３７】
同様にして、図１に示すように、第２フィルタ収納部１２では、第２支持板部３２と第３支持板部３３の間には、複数枚の棚板４２が所定の間隔をおいて、垂直方向Ｚに平行になるように、着脱可能に配列されている。このため、第２フィルタ収納部１２は、第２支持板部３２と第３支持板部３３と複数枚の棚板４２から構成されている。
【００３８】
棚板４１と棚板４２の配置枚数としては、例えば４１枚である。棚板４１と棚板４２は、間仕切り材ともいう。図１に示すように、棚板４１と棚板４２の厚みＤは、例えば２ｍｍである。これらの収納空間Ｓの幅Ｗは、例えば５ｍｍである。
【００３９】
これにより、図１に示すように、第１フィルタ収納部１１では、隣接して配置されている棚板４１，４１同士の間の収納空間Ｓと、左端に配置されている棚板４１と側板２３の間の収納空間Ｓと、右端に配置されている棚板４１と側板２４の間の収納空間Ｓには、合計して４２枚のフィルタＦが挿抜可能に、しかも垂直方向Ｚに向けて収納することができる。また、第２フィルタ収納部１２では、隣接して配置されている棚板４２，４２同士の間の収納空間Ｓと、左端に配置されている棚板４２と側板２３の間の収納空間Ｓと、右端に配置されている棚板４２と側板２４の間の収納空間Ｓには、合計して４２枚のフィルタＦが挿抜可能に収納することができる。
【００４０】
このように、各フィルタＦは、各収納空間Ｓにおいて、縦方向（垂直方向）Ｚに向けて収納することができる。これにより、フィルタＦのセットが楽にでき、第１フィルタ収納部１１においてフィルタＦを収納空間Ｓから取出す時と同じ向きで、第２フィルタ収納部１２ではフィルタＦを収納空間Ｓに対して戻すことができる。
【００４１】
図２に示すように、既に説明したように、側板２３，２４の前側端面部２３Ａ，２４Ａは、底板２２に対して、傾斜角度θ、例えば８０度で傾いている。このため、作業者は、第１フィルタ収納部１１では、斜め上方向Ｇ１に向けて、フィルタＦを収納空間Ｓから取り出すことができ、第２フィルタ収納部１２の収納空間Ｓには、フィルタＦを斜め下方向Ｇ２に向けて、戻すことができる。特に、作業者が、複数枚のフィルタＦを、第１フィルタ収納部１１と第２フィルタ収納部１２にそれぞれ収納する場合には、円形のフィルタＦが、傾斜を利用して転がりながら各収納空間Ｓに入り込む。すなわち、作業者は、フィルタＦを各収納空間Ｓに押し込まなくても、フィルタＦを転がすようにして収納空間Ｓ内にセットすることができる。
【００４２】
これにより、作業者が、重量測定前のフィルタＦを第１フィルタ収納部１１の収納空間Ｓから取り出す作業と、重量測定後のフィルタＦを第２フィルタ収納部１２の収納空間Ｓに戻す作業を容易に行える。
【００４３】
また、フォルダ本体部２の前面開口部２０からフォルダ本体部２の内部に、第１フィルタ収納部１１と第２フィルタ収納部１２を、クリーニングのために取り出したり、クリーニング後に装着する作業が、容易に行える。このため、作業者は、フォルダ本体部２内から第１フィルタ収納部１１と第２フィルタ収納部１２を取り出して、クリーニング等のメンテナンスを行う作業が、容易にできる。
【００４４】
図１と図２に示すフィルタＦは、例えばＰＴＦＥ（ポリテトラフルオロエチレン）製であり、サポートリング付きで、直径Ｋが、例えば４７ｍｍで、厚みが３０μｍ〜５０μｍであり、ポアサイズは２μｍである。このフィルタＦは、「微小粒子状物質」の大きさ「２．５μｍ」を捕獲するためのフィルタである。また、ＰＴＦＥは、化学的に安定していて、耐熱性と耐薬品性に優れている。ポアサイズとは、フィルタＦのポア（孔）の大きさを指す。フィルタＦは、膜に小さな孔がたくさん開いている構造を有している。
【００４５】
このサイズのフィルタＦの場合には、図２に示すように、第１フィルタ収納部１１と第２フィルタ収納部１２の収納空間ＳにおけるフィルタＦの収納奥行寸法Ｂ１は、例えば４０ｍｍであり、第１フィルタ収納部１１と第２フィルタ収納部１２の奥行寸法Ｂ２は、例えば５０ｍｍである。
【００４６】
図１と図２に示す第１フィルタ収納部１１と第２フィルタ収納部１２は、好ましくは互いに異なる色に設定されている。このように、第１フィルタ収納部１１と第２フィルタ収納部１２を異なる色に設定するのは、作業者が異なる色を利用して、第１フィルタ収納部１１と第２フィルタ収納部１２を、視覚的に容易にしかも確実に識別できるようにするためである。
【００４７】
具体的には、上段の第１フィルタ収納部１１の複数枚の棚板４１は、例えばカーマイン色に設定され、下段の第２フィルタ収納部１２の複数枚の棚板４２は、例えばスカイブルー色に設定されている。第１支持板部３１と、第２支持板部３２と、第３支持板部３３は、透明のアクリル板を用いている。このように第１フィルタ収納部１１と第２フィルタ収納部１２では、複数枚の棚板４１の色と、複数枚の棚板４１の色を、例えば捕集期間の７日ごとに変えることにより、作業者が第１フィルタ収納部１１と第２フィルタ収納部１２の見分け易くしている。
【００４８】
図３は、この捕集体保持具１を備える恒温恒湿チャンバ１００の構成例等を示しているブロック図である。図３に示すように、恒温恒湿チャンバ１００は、試料待機導入口１０１と、分粒装置１０２に接続されている。恒温恒湿チャンバ１００内には、天秤１２０が収容されている。恒温恒湿チャンバ１００内には、本発明の実施形態の捕集体保持具１が収容されている。
【００４９】
試料待機導入口１０１には、大気中から電動のサンプラによって試料大気を一定流量で吸引する。分粒装置１０２は、吸引された試料大気からＰＭ２．５を分粒して、ＰＭ２．５を捕集体保持具１に収容されている複数枚のフィルタＦ上に一定期間捕集する。その後、この捕集体保持具１は、恒温恒湿チャンバ１００内に収容される。恒温恒湿チャンバ１００は、吸引ポンプ１０４により陰圧になっている。
【００５０】
恒温恒湿チャンバ１００内では、天秤１２０は、フィルタＦによるＰＭ２．５の採取前とＰＭ２．５の採取後の重量差を求めて、その重量差の値を、試料大気の吸引量で除することによって、ＰＭ２．５の質量濃度を算定するようになっている。
【００５１】
図４は、上述した構造の捕集体保持具１を用いてＰＭ２．５の質量濃度を測定するための恒温恒湿チャンバ１００のより具体的な例を示す斜視図である。
【００５２】
図４に示す恒温恒湿チャンバ１００は、ＰＭ２．５の質量濃度を測定可能な局所環境卓上型の恒温恒湿チャンバである。恒温恒湿チャンバ４００内の温湿度は、フィルタＦの秤量条件の温度、例えば２１．５℃±１．５℃で、相対湿度３５％Ｒｈ±５％Ｒｈに保たれており、１μｇオーダの感量の天秤１２０を使用する。
【００５３】
この恒温恒湿チャンバ１００内には、上述した捕集体保持具１が設置でき、捕集体保持具１の第１フィルタ収納部１１には、４２枚のフィルタＦを収納され、第２フィルタ収納部１２には、４２枚のフィルタＦを収納されている。作業者ＯＰは、操作口４０２から手を入れて、フィルタＦを用いて、ＰＭ２．５の質量濃度の測定を行うようになっている。
【００５４】
図５は、図４に示す恒温恒湿チャンバ１００をより詳しく示している。
【００５５】
図５に示すように、恒温恒湿チャンバ１００内には、捕集体保持具１と、天秤１２０と、除電装置の電源部１３０が収容されている。この天秤１２０は、秤量部１０３と、表示部１１３に分かれている。秤量部１０３だけでなく表示部１１３を、恒温恒湿チャンバ１００内に設置しているのは、表示部１１３のサイド部に非接触式センサが設けられており、作業者が、この非接触センサに手をかざすことで、秤量部１０３の開閉扉１０４の開閉動作を自動的に行うことができるようにしているためである。なお、表示部１１３は、ほとんど電気を消費しないので、熱源や対流源にはなり得ない。
【００５６】
図５に示す天秤１２０の秤量部１０３は、第１フィルタ収納部１１からフィルタＦを１枚ずつ取り出した後にこのフィルタＦを収容して、フィルタＦによるＰＭ２．５の採取前とフィルタＦによるＰＭ２．５の採取後の重量差を求めて、その重量差の値を、試料大気の吸引量で除することによって、ＰＭ２．５の質量濃度を算定する。具体的には、図５に示すように、作業者は、例えば捕集体保持具１の第１フィルタ収納部１１内から、矢印Ｐ１で示すように、１枚のフィルタＦをピンセットで掴んで、フィルタＦを縦方向にしたまま取出して、その後矢印Ｐ２で示すように、このフィルタＦを水平状態にする。そして、天秤１０３の開閉扉１０４を開けて、この水平状態になっているフィルタＦを、矢印Ｐ３で示すように、天秤１０３の秤量室１０３Ａに入れる。これにより、フィルタＦによるＰＭ２．５の採取前とフィルタＦによるＰＭ２．５の採取後の重量差を求めて、その重量差の値を、試料大気の吸引量で除することによって、ＰＭ２．５の質量濃度を算定する。
【００５７】
図５に示すように、ＰＭ２．５の質量濃度を算定後、フィルタＦは、矢印Ｐ４で示すように、ピンセットで挟んで秤量室１０３Ａから水平状態のまま取り出して、矢印Ｐ５で示すように、再びフィルタＦを縦方向に向ける。そして、縦方向にしたフィルタＦは、矢印Ｐ６で示すように、第２フィルタ収納部１２内に戻すようになっている。
【００５８】
これにより、第１フィルタ収納部１１内から取り出したフィルタＦの表面Ｈと裏面Ｂが反転してしまわないように、第２フィルタ収納部１２内に戻すことができるようになっている。従って、フィルタＦの表面Ｈと裏面Ｂが反転されてしまうことを完全に防ぐことができる。フィルタＦの表面Ｈ側を必ず上に向けて天秤１０３の秤量室１０３Ａ内に設置し、ＰＭ２．５の質量濃度を算定後、フィルタＦの表面Ｈを第２フィルタ収納部１２内に戻す作業が、第１フィルタ収納部１１と第２フィルタ収納部１２の傾斜された位置からも楽にできる。
【００５９】
しかも、上段の第１フィルタ収納部１１の複数枚の棚板４１は、例えばカーマイン色に設定され、下段の第２フィルタ収納部１２の複数枚の棚板４２は、例えばスカイブルー色に設定されている。これにより、作業者が第１フィルタ収納部１１と第２フィルタ収納部１２の見分け易くしているので、作業者が、ＰＭ２．５の質量濃度を算定後のフィルタＦを、第１フィルタ収納部１１ではなく、第２フィルタ収納部１２側に正しくもどることができるようになっている。
【００６０】
次に、上述した捕集体保持具１の使用手順を説明する。
【００６１】
（１）図１と図２に示す捕集体保持具１の第１フィルタ収納部１１には、新品のフィルタＦが、各収納空間Ｓに、それぞれ縦方向（Ｚ方向）に沿って、１枚ずつセットされる。これにより、第１フィルタ収納部１１には、合計して４２枚のフィルタＦが、挿抜可能に収納することができる。
【００６２】
（２）次に、図４と図５に示す捕集体保持具１は、恒温恒湿チャンバ１００内において、温度２１．５℃±１．５℃、相対湿度３５％Ｒｈ±５％Ｒｈの環境において、第１フィルタ収納部１１に収納されている新品のフィルタＦは、２４時間以上コンディショニング（放置）する。
【００６３】
（３）その後、コンディショニングを行った第１フィルタ収納部１１内の新品のフィルタＦは、図５に示す天秤１２０の秤量部１０３の秤量室１０３Ａにより１枚ずつ秤量して、フィルタＦの重量を記録する。
【００６４】
（４）第１フィルタ収納部１１に収納されたすべての新品のフィルタＦの秤量が終了したら、すべての新品のフィルタＦを第２フィルタ収納部１２に戻す。第１フィルタ収納部１１に収納されたすべての新品のフィルタＦの秤量が終了して、第２フィルタ収納部１２に戻して収納したら、もう一度すべての新品のフィルタＦについて繰り返して秤量する。すなわち、第１フィルタ収納部１１に収納されているすべての新品のフィルタＦは、図５に示す天秤１２０の秤量部１０３の秤量室１０３Ａにより１枚ずつ秤量して、新品のフィルタＦの重量を記録する。第２フィルタ収納部１２に収納されたすべての新品のフィルタＦの秤量が終了したら、すべての新品のフィルタＦを第１フィルタ収納部１１に戻す。このようにしてすべての新品のフィルタＦは、２回以上秤量をすることで、ＰＭ２．５の捕集前のフィルタＦの重量を測定する。
【００６５】
（５）各新品のフィルタＦの秤量が完了したら、フィルタＦを１枚ずつ図示しないペトリスライド（個別の容器）にセットする。
【００６６】
（６）ペトリスライドを恒温恒湿チャンバ１００内から取り出して、後の工程のＰＭ２．５の捕集工程に回す。
【００６７】
（７）ＰＭ２．５の捕集工程において、ＰＭ２．５のサンプリングの終わったフィルタＦは、上述した手順（１）から（６）と同様の手順（１１）から（１６）で秤量を行う。
【００６８】
（１１）図１と図２に示す捕集体保持具１の第１フィルタ収納部１１には、ＰＭ２．５が捕集されたフィルタＦが、各収納空間Ｓに、それぞれ縦方向（Ｚ方向）に沿って、１枚ずつセットされている。
【００６９】
（１２）次に、図４と図５に示す捕集体保持具１は、恒温恒湿チャンバ１００内において、温度２１．５℃±１．５℃、相対湿度３５％Ｒｈ±５％Ｒｈの環境において、第１フィルタ収納部１１に収納されているＰＭ２．５が捕集されたフィルタＦは、２４時間以上コンディショニング（放置）する。
【００７０】
（１３）その後、コンディショニングを行った第１フィルタ収納部１１内のＰＭ２．５が捕集されたフィルタＦは、図５に示す天秤１２０の秤量部１０３の秤量室１０３Ａにより１枚ずつ秤量して、ＰＭ２．５が捕集されたフィルタＦの重量を記録する。
【００７１】
（１４）第１フィルタ収納部１１に収納されたすべてのＰＭ２．５が捕集されたフィルタＦの秤量が終了したら、すべてのＰＭ２．５が捕集されたフィルタＦを第２フィルタ収納部１２に戻す。第１フィルタ収納部１１に収納されたすべてのＰＭ２．５が捕集されたフィルタＦの秤量が終了して、第２フィルタ収納部１２に戻して収納したら、もう一度すべてのＰＭ２．５が捕集されたフィルタＦについて繰り返して秤量する。すなわち、第１フィルタ収納部１１に収納されているすべてのＰＭ２．５が捕集されたフィルタＦは、図５に示す天秤１２０の秤量部１０３の秤量室１０３Ａにより１枚ずつ秤量して、ＰＭ２．５が捕集されたフィルタＦの重量を記録する。第２フィルタ収納部１２に収納されたすべてのＰＭ２．５が捕集されフィルタＦの秤量が終了したら、すべてのＰＭ２．５が捕集されたフィルタＦを第１フィルタ収納部１１に戻す。このようにしてすべてのＰＭ２．５の捕集されたフィルタＦは、２回以上秤量をすることで、ＰＭ２．５の捕集後のフィルタＦの重量を測定する。
【００７２】
（１５）各ＰＭ２．５が捕集されたフィルタＦの秤量が完了したら、フィルタＦを１枚ずつ図示しないペトリスライド（個別の容器）にセットする。
【００７３】
（１６）ペトリスライドを恒温恒湿チャンバ１００内から取り出す。
【００７４】
なお、恒温恒湿チャンバ１００内における温度２１．５℃±１．５℃、相対湿度３５％Ｒｈ±５％Ｒｈの環境条件と、２回以上の秤量の回数と、フィルタＦの必要枚数（２４枚、４０枚、４１枚、４２枚・・・）については、「環境省発行  大気中微小粒子状物資（ＰＭ２．５）成分測定マニュアルの策定について」に記載されている内容である。
【００７５】
上述したように、ＰＭ２．５の測定に用いられる捕集体保持具１では、次のような利点がある。
【００７６】
（１）２４枚から４２枚のフィルタを一定の温湿度環境下で複数回秤量する。このために、本発明の実施形態の捕集体保持具１では、第１フィルタ収納部１１と第２フィルタ収納部１２には、それぞれ例えば４２枚のフィルタＦを収納できるようにしている。
【００７７】
（２）秤量をする際にフィルタ同士の取り違えがあってはならない。このために、捕集体保持具１では、秤量後のフィルタＦは、例えば第１フィルタ収納部１１から第２フィルタ収納部１２に移し、さらに次の秤量後のフィルタＦは、例えば第２フィルタ収納部１２から第１フィルタ収納部１１に移すことで、フィルタＦの取り違いを無くしている。しかも、第１フィルタ収納部１１と第２フィルタ収納部１２では、第１支持板部３１と、第２支持板部３２と、第３支持板部３３と、背板部３４の色を、例えば７日ごとに変えることで、作業者は、色により目視で見分け易くなる。
【００７８】
（３）フィルタには、金属のコンタミネーションがあってはならない。このために、捕集体保持具１は、金属ではなくアクリル材の様なプラスチックにより作られているので、フィルタＦには金属コンタミネーションの付着がなくなる。
【００７９】
（４）第１フィルタ収納部１１と第２フィルタ収納部１２が汚れた場合には、クリーニングが簡単にできる。すなわち、第１フィルタ収納部１１と第２フィルタ収納部１２の第１支持板部３１と、第２支持板部３２と、第３支持板部３３と、背板部３４は、フォルダ本体部２から、簡単に取り外すことができる。従って、第１フィルタ収納部１１と第２フィルタ収納部１２のクリーニングが簡単に行える。
【００８０】
（５）第１フィルタ収納部１１と第２フィルタ収納部１２にフィルタＦをセットし易い構造であり、第１フィルタ収納部１１と第２フィルタ収納部１２は、斜め上方に向くように傾斜して配置されているので、各フィルタＦは第１フィルタ収納部１１の収納空間Ｓと第２フィルタ収納部１２の収納空間Ｓに対して斜め上から斜め下方向に収納でき、フィルタＦを押し込まなくても簡単に収納できる。
【００８１】
（６）フィルタＦの秤量後、フィルタＦは同じ向きで収納空間Ｓに戻さなければならないが、各フィルタＦは、各収納空間Ｓにおいて、縦方向（垂直方向）Ｚに向けて収納することができる。これにより、フィルタＦのセットが楽にでき、フィルタＦを収納空間Ｓから取出す時と同じ向きで、フィルタＦを収納空間Ｓに対して戻すことができる。
【００８２】
次に、図６は、本発明の捕集体保持具の第２実施形態を示す図である。
【００８３】
図６に示す本発明の第２実施形態の捕集体保持具１Ａが、図１と図２に示す本発明の第１実施形態の捕集体保持具１と同様の箇所には同じ符号を記してその説明を省略する。
【００８４】
図６に示す本発明の第２実施形態の捕集体保持具１Ａは、フォルダ本体２Ａと、例えば２つのフィルタ収納部１１Ａ，１２Ａを有している。ホルタ本体２Ａは、例えば第１フィルタ収納部１１Ａと第２フィルタ収納部１２Ａを保持している。第１フィルタ収納部１１Ａと第２フィルタ収納部１２Ａは、支持板部７１，７２，７３，７４と、背面部７５を有している。
【００８５】
第１フィルタ収納部１１Ａと第２フィルタ収納部１２Ａは、複数枚のフィルタＦを、横方向（Ｘ方向）に沿って着脱可能に収納することができる。第１フィルタ収納部１１Ａと第２フィルタ収納部１２Ａは、異なる色になっている。第１フィルタ収納部１１Ａと第２フィルタ収納部１２Ａは、傾斜角度θで傾斜されている。フォルダ本体２Ａと、第１フィルタ収納部１１Ａと第２フィルタ収納部１２Ａは、ともに金属材料では作られておらず、第１実施形態と同様に、プラスチック材料により作られている。
【００８６】
本発明の実施形態の捕集体保持具１（１Ａ）は、大気中の微小粒子状物質を測定するために用いられるフィルタを収納して保持する捕集体保持具である。この捕集体保持具１（１Ａ）は、フォルダ本体部と、フォルダ本体部に配置されて、複数のフィルタを挿抜可能に収容可能な複数のフィルタ収納部と、を有し、フォルダ本体部とフィルタ収納部は、プラスチック製であり、フィルタ収納部は、斜め下方向に傾斜して設けられている。
【００８７】
これにより、フォルダ本体部とフィルタ収納部は、プラスチック製であるので、保持しようとするフィルタに対して金属コンタミネーションの付着するのを防ぐことができる。しかも、フィルタ収納部は、斜め下方向に傾斜して設けられているので、フィルタを収納する作業とフィルタを取り外す作業を容易に行うことができる。
【００８８】
各フィルタ収納部は、フィルタを収容する複数の間仕切り部を有しており、フィルタ収納部は取り外しが可能である。これにより、間仕切り部材は取り外しできるので、フィルタ収納部のクリーニングが容易に行える。
【００８９】
各フィルタ収納部の間仕切り部材は、縦方向に配置されており、隣接する間仕切り部材は、フィルタを収納する収納空間を形成している。これにより、フィルタは収納空間において縦方向に配置されるので、縦方向に配置されたフィルタを、フィルタ収納部から取り出して水平状態にしてフィルタを秤量し、秤量後にフィルタを水平状態から縦方向に戻すだけで、フィルタ収納部に戻すことができるので、フィルタの表面と裏面が反対になって収納されてしまうのを防ぐことができる。
【００９０】
各フィルタ収納部は、互いに異なる色になっている。これにより、各フィルタ収納部は、互いに異なる色を呈していることにより、作業者は、フィルタを取り出すフィルタ収納部と、フィルタを収納すべきフィルタ収納部とは、色の違いを見て、確実に識別することができるので、フィルタを誤ったフィルタ収納部に収納してしまうのを防げる。
【００９１】
フォルダ本体部とフィルタ収納部は、アクリル材である。これにより、アクリル材を用いることにより、保持しようとするフィルタに対して金属コンタミネーションの付着するのを防ぐことができる。
【００９２】
以上、実施形態を挙げて本発明を説明したが、各実施形態は一例であり、特許請求の範囲に記載される発明の範囲は、発明の要旨を逸脱しない範囲内で種々変更できるものである。
【００９３】
例えば、捕集体(フィルタ)Ｆは、その裏面と表面を明確に区別するために、例えば表面には小さな突起を設けたり、表面の色と裏面の色を変えるようにしても良い。
【符号の説明】
【００９４】
１      捕集体保持具
２      フォルダ本体部
１１    第１フィルタ収納部
１２    第２フィルタ収納部
２１    天板
２２    底板
２３，２４    側板
２５    背板
１００  恒温恒湿チャンバ
１０３  天秤の秤量部
１１３  天秤の表示部
１２０  天秤
Ｆ      フィルタ
Ｓ      収納空間
【図１】
2015161571.tif 000003
【図２】
2015161571.tif 000004
【図３】
2015161571.tif 000005
【図４】
2015161571.tif 000006
【図５】
2015161571.tif 000007
【図６】
2015161571.tif 000008